(57)【要約】      （修正有）【課題】トレーを容易に係合および分離させることができ、所望の衣類を探したり取り出したりする場合にも衣類が乱れることなく衣類を最初に整理した状態に維持することができ、一つのブラケットに複数のトレーが係合されることによって移動が自在な、衣類収納具を提供する。【解決手段】衣類収納具は取り付け面に垂直に配設されるブラケット１００であって、左右両端に、上下方向に沿った長さを有する一対のガイド１１０が前方に突設された、ブラケットとトレー２００であって、整理された衣類が上面に配置され、ブラケットの前面に一つまたは複数の層として水平に係合した場合に、左右両端が一対のガイドにそれぞれ支持されるようトレーを設ける。【選択図】図１
2018000920.tif 000002
【特許請求の範囲】
【請求項１】
取り付け面に垂直に配設されるブラケットであって、左右両端に、上下方向に沿った長さを有する一対のガイドが前方に突設される、ブラケット；および
トレーであって、整理された衣類が上面に配置され、前記ブラケットの前面に一つまたは複数の層として水平に係合した場合に、左右両端が前記一対のガイドにそれぞれ支持される、トレー；
を含むことを特徴とする、衣類収納具。
【請求項２】
前記ブラケットの下端には、前記取り付け面に位置する台座が水平に設けられ、
前記台座の上部は、締結部材によって、前記トレーのうち最下段に位置するトレーの下端と密着した状態で係合されることを特徴とする、請求項１に記載の衣類収納具。
【請求項３】
前記ガイドの前端にはそれぞれ、前記ブラケットとは反対の方向に傾斜して設けられた折曲面が設けられ、
前記折曲面は、前記ブラケットの前面に前記トレーを係合する場合、前記トレーの左右両端を前記ガイドに案内する
ことを特徴とする、請求項１に記載の衣類収納具。
【請求項４】
前記ブラケットの上端には、一つまたは複数の補助ブラケットが垂直に更に係合され、
前記ブラケットの上端並びに前記補助ブラケットの上端および下端には、隣接する端部が雌雄で係合されるように、挿入溝および挿入突起が対応して設けられる
ことを特徴とする、請求項１に記載の衣類収納具。
【請求項５】
前記トレーの後端側には、取っ手が上部に突設され、
前記取っ手の上端は、前記ブラケットの前面に前記トレーを複数係合させる場合、上部に位置するトレーの下面を水平に支持する
ことを特徴とする、請求項１に記載の衣類収納具。
【請求項６】
前記トレーの前方側下端には、前後方向に一定の曲率を形成する球面が更に設けられることを特徴とする、請求項１に記載の衣類収納具。
【請求項７】
前記ブラケットの前面には、左右に一対の突出した係止具が上下方向に沿って複数配列され、
前記トレーの前端には、前記係止具間の間隙に挿入された状態において左右両端が係止位置になるように、挿入具が突設される
ことを特徴とする、請求項１に記載の衣類収納具。
【請求項８】
前記係止具には、係止孔が水平に貫設され、
前記挿入具の左右側には、前記係止孔に水平に挿入されるように係止端が突設される
ことを特徴とする、請求項７に記載の衣類収納具。
【請求項９】
前記係止具の前端にはそれぞれ、相互間の間隙に前記係止端を案内するための傾斜面が設けられ、
前記傾斜面は、前記係止具の前端から前記間隙に傾斜して設けられる
ことを特徴とする、請求項７に記載の衣類収納具。
【請求項１０】
前記係止端は、前記トレーの後端を持ち上げたり下げたりする場合、前記係止孔内で上下に回動可能であることを特徴とする、請求項７に記載の衣類収納具。
【請求項１１】
前記ブラケットの前面には、係合用溝が凹状に設けられ、
前記係止具は、上下方向に沿って一体として連結され、前記係合用溝の前面に雌雄で対応して係合されることを特徴とする、請求項７に記載の衣類収納具。
【請求項１２】
前記係止具は、前記係合用溝の上部において雌雄で対応するように、スライド係合されることを特徴とする、請求項１１に記載の衣類収納具。
【発明の詳細な説明】
【技術分野】
【０００１】
本発明は衣類収納具に関し、より詳細には、衣類が置かれたトレーを着脱およびガイド方式を利用してブラケットに多段で係合することにより、トレーを容易に係合および分離させることができ、所望の衣類を探したり取り出したりする場合にも衣類の乱れがなく、衣類を最初に整理した状態に維持することができ、整理された衣類を乱すことなく容易に移動させることができる、衣類収納具に関する。
【背景技術】
【０００２】
一般的に、各家庭においては、シャツ、ズボン等の衣類を保管するためのタンス、整理ボックス等が使用されており、衣類を一定の形態に畳んで整理した後、タンスの収納スペースに何層かで収納する。
【０００３】
しかし、従来の衣類収納方式は、一度に多数の衣類を高く積み重ねた場合、収納されている衣類を移動させるには不便であり、その過程で衣類の整理された状態が変わってしまうという懸念があった。
【０００４】
また、従来の衣類収納方式は、使用者が所望の衣類の種類を確認するために衣類を探したり、当該衣類を取り出したりする過程で整理された衣類に乱れが生じ、その過程で乱れた衣類を再度整理するための過程が煩わしいものであった。
【０００５】
また、従来の衣類収納方式は、積み重ねた衣類が互いに密着した状態で保管されるため、使用者が所望する衣類を簡単に確認することができず、衣類間の接触のない最適な状態で衣類を保管することができなかった。
【０００６】
本発明に関連した先行文献としては、大韓民国特許公開第１０−２０１６−００６０９７７号（２０１６年５月３１日）があり、この先行文献では衣類収納具が開示されている。
【発明の概要】
【発明が解決しようとする課題】
【０００７】
本発明の目的は、着脱およびガイド方式を利用してトレーをブラケットに多段で係合させることにより、トレーを容易に係合および分離させることができ、所望の衣類を探したり取り出したりする場合にも衣類が乱れることなく衣類を最初に整理した状態に維持することができ、一つのブラケットに複数のトレーが係合されることによって移動が自在な、衣類収納具を提供することにある。
【０００８】
また、本発明の別の目的は、トレーが、ブラケットと係合した部位を基準に回動するため、トレー間の間隙を調節することができ、所望の衣類を簡単に確認した後、取り出すことができる衣類収納具を提供することにある。
【０００９】
また、本発明の更なる別の目的は、ブラケットの高さを延長および縮小してトレーの取り付け数を調節することにより、取り付けスペースに応じたサイズに調節できるため、取り付けスペースの制約が大きくなく、多数の衣類を一緒に収納することができ、使用の簡便性を確保できる、衣類収納具を提供することにある。
【課題を解決するための手段】
【００１０】
本発明による収納具は：取り付け面に垂直に配設されるブラケットであって、左右両端に、上下方向に沿った長さを有する一対のガイドが前方に突設された、ブラケットと；トレーであって、整理された衣類が上面に配置され、上記ブラケットの前面に一つまたは複数の層として水平に係合した場合に、左右両端が上記一対のガイドにそれぞれ支持される、トレーと；を含むことを特徴とする。
【００１１】
なお、上記ブラケットの下端には、上記取り付け面に位置する台座が水平に設けられ、上記台座の上部は、締結部材によって、上記トレーのうち最下段に位置するトレーの下端と密着した状態で係合されるのが好ましい。
【００１２】
また、上記ガイドの前端にはそれぞれ、上記ブラケットとは反対の方向に傾斜して設けられた折曲面が設けられ、上記折曲面は、上記ブラケットの前面に上記トレーを係合する場合、上記トレーの左右両端を上記ガイドに案内することが好ましい。
【００１３】
また、上記ブラケットの上端には、一つまたは複数の補助ブラケットが垂直に更に係合され、上記ブラケットの上端並びに上記補助ブラケットの上端および下端には、隣接する端部が雌雄係合されるように、挿入溝および挿入突起が対応して設けられることが好ましい。
【００１４】
また、上記トレーの後端側には取っ手が上部に突設され、上記取っ手の上端は、上記ブラケットの前面に上記トレーを複数係合させる場合、上部に位置するトレーの下面を水平に支持するのが好ましい。
【００１５】
また、上記トレーの前方側下端には、前後方向に一定の曲率を形成する球面が更に設けられることが好ましい。
【００１６】
また、上記ブラケットの前面には、左右に一対の突出した係止具が上下方向に沿って複数配列され、上記トレーの前端には、上記係止具間の間隙に挿入された状態において左右両端が係止位置になるように挿入具が突設されることが好ましい。なお、前記係止具は上下方向に沿って複数配列されてもよく、または一体となって貫通した形状をとっていてもよい。係止具が一体となって貫通した形状である場合、トレーは係止具に挿入された状態において、上下に自由にスライドさせることができる。
【００１７】
また、上記係止具には係止孔が水平に貫設され、上記挿入具の左右側には、上記係止孔に水平に挿入されるように係止端が突設されることが好ましい。
【００１８】
また、上記係止具の前端にはそれぞれ、互いの間の間隙に上記係止端を案内するための傾斜面が設けられ、上記傾斜面は、上記係止具の前端から上記隙間に傾斜して設けられることが好ましい。
【００１９】
また、上記係止端は、上記トレーの後端を持ち上げたり下げたりする場合、上記係止孔内で上下に回動可能であることが好ましい。
【００２０】
また、上記ブラケットの前面には係合用溝が凹状に設けられ、上記係止具は上下方向に沿って一体として連結され、上記係合用溝の前面に雌雄対応して係合されることが好ましい。または、上記係止具および上記係合用溝が一体不可分となった形状をとっていてもよい。すなわち、上記係止具は上記ブラケットの一部として備えられているものであってもよい。
【００２１】
また、上記係止具は、上記係合用溝の上部において雌雄対応するように、スライド係合されることが好ましく、または、あらかじめ係合した状態になるように、一体となった形状をとっていてもよい。
【発明の効果】
【００２２】
本発明は、着脱およびガイド方式を利用してトレーをブラケットに多段で係合させることにより、トレーを容易に係合および分離することができ、所望の衣類を探したり取り出したりする場合にも衣類が乱れることなく、衣類を最初に整理された状態に維持することができ、一つのブラケットに複数のトレーが係合されることによって移動が自在となる、という効果がある。
【００２３】
また、本発明は、トレーが、ブラケットと係合した部位を基準に回動するため、トレー間の間隙を調節することができ、所望の衣類を簡単に確認した後、取り出すことができる、という効果がある。
【００２４】
また、本発明は、ブラケットの高さを延長および縮小してトレーの取り付け数を調節することにより、取り付けスペースに応じたサイズに調節できるため、取り付けスペースの制約が大きくなく、多数の衣類を一緒に収納することができ、使用の簡便性を確保できる、という効果がある。
【００２５】
さらに、本発明は、トレーに置かれた衣類が上下に区分されて外部に露出するので、使用者が所望する衣類を簡単に確認でき、衣類間の接触のない最適な状態で衣類を保管することができる、という効果がある。
【図面の簡単な説明】
【００２６】
【図１】図１は、本発明による衣類収納具を示すための分離斜視図である。
【図２】図２は、本発明による衣類収納具を示すための係合斜視図である。
【図３】図３は、本発明による衣類収納具に係止具および挿入具を適用した状態を示すための分離斜視図である。
【図４】図４は、本発明による衣類収納具に係止具および挿入具を適用した状態を示すための係合斜視図である。
【図５】図５は、本発明による衣類収納具に係止具および挿入具を適用した状態を示すための係合断面図である。
【図６】図６は、本発明による衣類収納具においてトレーを示すための底面斜視図である。
【図７】図７は、本発明による衣類収納具の係止具にスライド係合方式を適用した状態を示すための分離斜視図である。
【発明を実施するための形態】
【００２７】
以下、添付した図面を参照しながら、本発明による好適な実施形態について詳しく説明する。
【００２８】
本発明の利点および特徴、並びにそれらを達成する方法は、添付した図面と共に詳細に後述される実施形態を参照すれば明確になるであろう。
【００２９】
しかし、本発明は、以下に開示される実施形態によって限定されるものではなく、互いに異なる多様な形態で具現されるものである。これらの実施形態は単に、本発明の開示を完全なものとし、本発明が属する技術分野において通常の知識を持つ者に対して発明の範疇を完全に伝えるために提供されるものであり、本発明は、請求の範囲の範疇によってのみ定義される。
【００３０】
また、本発明を説明するにあたり、関連する公知技術等が本発明の要旨を曖昧にするおそれがあると判断される場合、それに関する詳細な説明は省略するものとする。
【００３１】
図１は、本発明による衣類収納具を示すための分離斜視図であり、図２は、本発明による衣類収納具を示すための係合斜視図である。
【００３２】
また、図３は、本発明による衣類収納具に係止具および挿入具を適用した状態を示すための分離斜視図であり、図４は、本発明による衣類収納具に係止具および挿入具を適用した状態を示すための係合斜視図である。
【００３３】
また、図５は、本発明による衣類収納具に係止具および挿入具を適用した状態を示すための係合断面図であり、図６は、本発明による衣類収納具においてトレーを示すための底面斜視図である。
【００３４】
さらに、図７は、本発明による衣類収納具の係止具にスライド係合方式を適用した状態を示すための分離斜視図である。
【００３５】
図１および図２を参照すると、本発明による衣類収納具は、ブラケット１００および複数のトレー２００を含む。
【００３６】
まず、上記ブラケット１００は、タンス等の取り付け面に垂直に取り付けられるものであり、上記ブラケット１００は四角パネルの形態に製作することができる。
【００３７】
このような上記ブラケット１００の前面には、後述するトレー２００が上下方向に沿って多段で係合される。
【００３８】
なお、上記ブラケット１００は、合成樹脂等の素材を利用して製作するのが好ましいが、多様な素材を選択的に利用して製作することができる。
【００３９】
また、上記ブラケット１００の左右両端には、上下方向に沿って長さを有する一対のガイド１１０が前方に突出して設けられる。
【００４０】
上記一対のガイド１１０は、後述するトレー２００をブラケット１００の前方に係合させる場合、トレー２００の左右両端を両方向からそれぞれ案内した後、ガタつきなく支持する機能を有する。
【００４１】
なお、上記ガイド１１０の前端にはそれぞれ、ブラケット１００とは反対の方向に傾斜して設けられた折曲面１１１が設けられる。
【００４２】
上記折曲面１１１は、ブラケット１００の前面に、後述するトレー２００を係合する場合、トレー２００の左右両端をガイド１１０に案内する。
【００４３】
すなわち、上記折曲面１１１間の間隙は、前方に行くほど互いの幅が広く形成されているので、後述するトレー２００の係合時、位置調整の容易性を提供することができる。すなわち、上記折曲面１１１の、前方に行くほど幅が広いという形状のために、ブラケット１００の前面にトレー２００を係合する際の位置調整が容易になる。
【００４４】
また、上記ガイド１１０の対応面には、トレー２００の左右側下端を水平に支持するための突起１１２が形成され得る。
【００４５】
上記突起１１２は、最下段に位置するトレー２００の高さに設けられ、トレー２００の左右側下端をそれぞれ支持して、トレー２００を水平に位置させることができる。
【００４６】
これと共に、ブラケット１００の下端には取り付け面に設けられた台座１２０が一定の高さで設けられるが、上記台座１２０は、ブラケット１００の前面に折曲延長された形態を持ち得る。
【００４７】
なお、上記台座１２０の上部には、ブラケット１００の前面に係合された、後述するトレー２００のうち最下段に位置するトレー２００の下端が密着され得る。
【００４８】
このとき、上記台座１２０とトレー２００は、別途の締結部材Ｔによって係合され得るが、例えば、上記台座１２０とトレー２００は両面テープ類を利用して係合させることができる。
【００４９】
これとは異なる形態で、上記台座１２０とトレー２００は、ボルト、ねじ、ピン等の締結部材Ｔを利用して係合させることもできる。
【００５０】
また、上記ブラケット１００の上端には、図１〜図７に示すように、一つまたは複数の補助ブラケット１３０が垂直に更に係合され得る。
【００５１】
上記ブラケット１００の上端と補助ブラケット１３０の上端および下端には、隣接する端部が雌雄係合されるように、挿入溝１４０および挿入突起１５０が対応して形成され得る。
【００５２】
すなわち、上記補助ブラケット１３０を利用してブラケット１００の高さを延長することができるので、更に多数のトレー２００を係合することができる。
【００５３】
また、ブラケット１００は、図示しないが、両面テープ、ボルト、ねじ、ピン等を利用して取り付け面１０に固定することもできる。
【００５４】
トレー２００は、整理した衣類Ｃが上面に配置されるものであり、上記トレー２００は、整理した衣類Ｃが対応する形態で置かれるように、四角、長方形等のパネル形態に製作することができる。
【００５５】
このような上記トレー２００は、図５に示すようにブラケット１００の前面に一つまたは複数の層により水平に係合される。
【００５６】
すなわち、上記トレー２００は、左右両端が一対のガイド１１０にそれぞれ支持され、上記一対のガイド１１０の間でガタつきなく位置され得る。
【００５７】
なお、上記トレー２００は、ブラケット１００の下端から上部に沿って順次係合させることができるが、上記トレー２００のうち最下段に位置するトレー２００がブラケット１００の台座１２０に密着して位置する。
【００５８】
このとき、トレー２００の前端側下端が両面テープ類によって台座１２０の上面に貼りつけられて固定され、上記トレー２００の後端側下端が取り付け面に安定し得る。
【００５９】
この状態で、台座１２０の上面に固定されたトレー２００の上部に一つまたは複数のトレー２００を順次係合することができる。
【００６０】
すなわち、上述したブラケット１００のガイド１１０が一つまたは複数のトレー２００の左右両端を共に支持するため、トレー２００に置かれた衣類Ｃはブラケット１００の前面に並んで整列され得る。
【００６１】
また、トレー２００の後端側には、使用者が手で把持できるように取っ手２１０が上部に突出して設けられる。
【００６２】
上記取っ手２１０は、使用者が手でつかんでブラケット１００の前面に押し込んだり、後ろに引き出したりできるように、左右方向に沿って一定の広さに形成される。
【００６３】
なお、取っ手２１０は、ブラケット１００の前面にトレー２００を複数係合させる場合、上部に位置するトレー２００の下面を水平に支持する。
【００６４】
また、上記トレー２００には、上面に衣類Ｃが配置された際に通気性を確保するための一つ以上の貫通孔が上下に貫設され得る。
【００６５】
また、トレー２００の前方側下端には、前後方向に一定の曲率を形成する球面２２０が更に形成され得る。
【００６６】
上記球面２２０は、衣類Ｃが置かれたトレー２００のうちいずれか一つを分離する場合、下部トレー２００に置かれた衣類Ｃが引っかかって一緒に引き出されるのを防ぐためのものである。
【００６７】
それだけではなく、トレー２００の左右方向両側端に別途の係止用突起（未図示）を設け、前述したガイド１１０の対応面に別途の係止用突起または溝（未図示）を設けることができる。
【００６８】
この場合、トレー２００をブラケット１００の前面に押し込むと、上記係止用突起と、ガイド１１０に設けられた係止用突起または溝とが係止されるため、トレー２００とブラケット１００の係合力をさらに向上させることもできる。
【００６９】
さらに、図３〜図７に示すように、上記ブラケット１００の前面には、左右側に一対の突出した係止具１６０が上下方向に沿って複数配列されるか、または一体となって貫通した形状をとり得る。
【００７０】
上記係止具１６０には、係止孔１６１を水平に貫設することができ、上記係止具１６０の前端にはそれぞれ、相互間の間隙に後述する係止端２３１を案内するための傾斜面１６２が形成され得る。
【００７１】
上記傾斜面１６２は、係止具１６０が互いに向かい合う方向に設けられ、上記傾斜面１６２は、係止具１６０の前端から間隙の中心方向に傾斜して設けられる。
【００７２】
これと併せて、トレー２００の前端には、図３〜図７に示すように、係止具１６０間の間隙に挿入された状態で左右両端が係止位置になるように挿入具２３０が突設され得る。
【００７３】
上記挿入具２３０の左右側には、図４および図５に示すように、係止孔１６１に水平に挿入されるように係止端２３１が突設され得る。すなわち、上記挿入具２３０の前端はＴ字状を有している。
【００７４】
なお、上記係止端２３１の突出した端部は、図６に示すように、ブラケット１００の左右方向に凸状となるように前後方向に一定の曲率で形成することができる。
【００７５】
このような上記係止端２３１は、挿入具２３０の前端を係止具１６０間の間隙に挿入する際、係止具１６０の傾斜面１６２と当接しながら係止具１６０間の間隙へと案内される。
【００７６】
このとき、上記係止端２３１は、係止孔１６１に水平に挿入されて係止具１６０間に係止され、このとき、トレー２００は、後方に分離されない状態でブラケット１００の前面に位置する。
【００７７】
このような上記係止端２３１は、突出した端部が一定の曲率を形成しているため、トレー２００を前方に押し込む方式で係止孔１６１に嵌め込むことができ、逆に、トレー２００を後方に引っ張る方式で係止孔１６１から分離させることができる。
【００７８】
また、上記係止端２３１は、トレー２００の後端を持ち上げたり下げたりする場合、図４に示すように、上記係止孔１６１内で上下に回動され得る。
【００７９】
すなわち、ブラケット１００の前面にトレー２００を多段で取り付けた状態で中間にある衣類Ｃを引き出そうとする場合、すぐ上の段のトレー２００を２５〜３０度位の角度で持ち上げた後、該当する衣類Ｃを取り出すことができる。
【００８０】
このように、一対の係止具１６０は、挿入具２３０と係合する際、左右方向に拡がった後、自身の弾性力によって元の形態に復帰して係止端２３１を係止するので、ブラケット１００の前面にトレー２００を着脱方式で係合および分離することができる。
【００８１】
また、上記ブラケット１００を複数連結する場合、多数の衣類Ｃを一度に収納することができるため、使用の簡便性を確保できる。
【００８２】
また、ブラケット１００と一体化したトレー２００を一緒に移動させることができるため、衣類Ｃを乱すことなく整理された状態で移動させることができる。
【００８３】
一方、前述したブラケット１００の前面には、図３および図７に示すように、係止具１６０を係合および分離させることができるように係合用溝１７０が凹状に設けられ得る。
【００８４】
これに加え、上記係止具１６０は上下方向に沿って一体として連結され、または、貫通した形状を有し、この状態で上記係止具１６０を係合用溝１７０の前面に雌雄対応で係合させることができる。または、上記係止具１６０および上記係合用溝１７０が一体不可分となった形状をとっていてもよい。
【００８５】
これとは別に、上記係止具１６０は、図７に示すように、係合用溝１７０の上部において雌雄対応し、スライド係合させることもできる。
【００８６】
この場合、上記係止具１６０と係合用溝１７０の左右方向両側端には、係合する際に係止具１６０が係合用溝１７０の前方へ分離しないように、傾斜した突起を設けることができる。
【００８７】
また、上記係止具１６０は、図３および図４に示すように、ボルト、ねじ、ピン、両面テープ等の締結部材Ｔを利用して係合用溝１７０に係合することができる。
【００８８】
以下、図３〜図７を参考に、本発明による衣類収納具の係合および分離過程を次のように説明する。
【００８９】
まず、ブラケット１００の前面にトレー２００を係合させる場合、一定の形態で整理された衣類Ｃをトレー２００の上面に配置した後、最下段に位置する係止具１６０と同じ高さでトレー２００をブラケット１００の前面に押し込む。
【００９０】
この後、トレー２００の挿入具２３０を係止具１６０間の間隙に押し込むと、係止具１６０の前端が側方に拡がり、挿入具２３０が上記係止具１６０間の間隙に挿入される。
【００９１】
このとき、上記挿入具２３０の係止端２３１が係止具１６０の係止孔１６１に挿入され、係止具１６０の前端が元の形態に復帰しながら挿入具２３０の係止端２３１を両側から把持する。
【００９２】
この状態においては、上記挿入具２３０の係止端２３１が係止孔１６１内で係止位置となるため、トレー２００はブラケット１００の前面にガタつきなく係合され得る。
【００９３】
次に、トレー２００を多段で係合する場合、まず、係合された第１のトレー２００の上部に第２のトレー２００を順次係合することができる。
【００９４】
この場合、第２のトレー２００の下面が第１のトレー２００の取っ手２１０によって支持され、このとき、上記第１のトレー２００と第２のトレー２００との間には整理された衣類Ｃが位置する。
【００９５】
その反面、ブラケット１００の前面からトレー２００を分離させる場合、上記の係合手順とは逆の順序でトレー２００を分離することができる。
【００９６】
例えば、使用者が所望する衣類Ｃを取り出そうとする場合、使用者が当該トレー２００の取っ手２１０をつかんで後方へ引き出すことができる。
【００９７】
この場合、使用者がトレー２００を引き出す力によって、係止具１６０の前端が係止端２３１を分離できる分の幅だけ拡がるため、所望するトレー２００だけを選択的に分離することができる。
【００９８】
結果的に、本発明は、着脱およびガイド方式を利用してトレー２００をブラケット１００に多段で係合させることにより、トレー２００を容易に係合および分離させることができ、所望する衣類Ｃを探したり取り出したりする場合にも、衣類Ｃが乱れることなく衣類Ｃを最初に整理した状態に維持することができ、整理された衣類Ｃを乱すことなく容易に移動させることができる。
【００９９】
また、本発明は、一つのブラケット１００に複数のトレー２００が係合するため移動が自在であり、トレー２００がブラケット１００と係合した部位を基準に回動するため、トレー２００間の間隙を調節でき、衣類Ｃを簡単に確認した後、取り出すことができる。
【０１００】
また、本発明は、ブラケット１００の高さを延長および縮小してトレーの取り付け数を調節することにより、取り付けスペースに応じたサイズに調節できるため、取り付けスペースの制約が大きくなく、多数の衣類を同時に収納することができるため、使用の簡便性を確保することができる。
【０１０１】
これまで、本発明の衣類収納具に関する具体的な実施形態に関して説明してきたが、本発明の範囲を逸脱しない限度内で種々の実施形態の変更が可能なのは明らかである。
【０１０２】
従って、本発明の範囲においては、説明した実施形態に限定されて伝わることはならず、後述する特許請求の範囲だけではなく、この特許請求の範囲と均等なものによって定められなければならない。
【０１０３】
すなわち、前述の実施形態は、すべての面において例示であって限定するものではないことを理解しなければならず、本発明の範囲は、詳細な説明よりも後述する特許請求の範囲によって示されるもので、この特許請求の範囲の意味および範囲、並びにその等価の概念から導かれるすべての変更または変更された形態が本発明の範囲に含まれるものと解釈されるべきである。
【符号の説明】
【０１０４】
１０：取り付け面
１００：ブラケット
１１０：ガイド
１１１：折曲面
１１２：突起
１２０：台座
１３０：補助ブラケット
１４０：挿入溝
１５０：挿入突起
１６０：係止具
１６１：係止孔
１６２：傾斜面
１７０：係合用溝
２００：トレー
２１０：取っ手
２２０：球面
２３０：挿入具
２３１：係止端
Ｃ：衣類
Ｔ：締結部材
【図１】
2018000920.tif 000003
【図２】
2018000920.tif 000004
【図３】
2018000920.tif 000005
【図４】
2018000920.tif 000006
【図５】
2018000920.tif 000007
【図６】
2018000920.tif 000008
【図７】
2018000920.tif 000009
【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
多段で係合させた状態で移動させることができる衣類収納具であって、
取り付け面に垂直に配設されるブラケットであって、左右両端に、上下方向に沿った長さを有する一対のガイドが前方に突設される、ブラケット；および
トレーであって、整理された衣類が上面に配置され、前記ブラケットの前面に一つまたは複数の層として水平に係合した場合に、左右両端が前記一対のガイドにそれぞれ支持される、トレー；
を含み、
前記ガイドの前端にはそれぞれ、前記ブラケットとは反対の方向に傾斜して設けられた折曲面が設けられ、
前記折曲面間の間隙は、前方に行くほど互いの幅が広く形成され、
前記折曲面は、前記ブラケットの前面に前記トレーを係合する場合、前記トレーの左右両端を前記ガイドに案内する
ことを特徴とする、衣類収納具。
【請求項２】
前記ブラケットの下端には、前記取り付け面に位置する台座が水平に設けられ、
前記台座の上部は、締結部材によって、前記トレーのうち最下段に位置するトレーの下端と密着した状態で係合されることを特徴とする、請求項１に記載の衣類収納具。
【請求項３】
前記ブラケットの上端には、一つまたは複数の補助ブラケットが垂直に更に係合され、
前記ブラケットの上端並びに前記補助ブラケットの上端および下端には、隣接する端部が雌雄で係合されるように、挿入溝および挿入突起が対応して設けられる
ことを特徴とする、請求項１に記載の衣類収納具。
【請求項４】
前記トレーの後端側には、取っ手が上部に突設され、
前記取っ手の上端は、前記ブラケットの前面に前記トレーを複数係合させる場合、上部に位置するトレーの下面を水平に支持する
ことを特徴とする、請求項１に記載の衣類収納具。
【請求項５】
前記トレーの前方側下端には、前後方向に一定の曲率を形成する球面が更に設けられることを特徴とする、請求項１に記載の衣類収納具。
【請求項６】
前記ブラケットの前面には、左右に一対の突出した係止具が上下方向に沿って複数配列され、
前記トレーの前端には、前記係止具間の間隙に挿入された状態において左右両端が係止位置になるように、挿入具が突設される
ことを特徴とする、請求項１に記載の衣類収納具。
【請求項７】
前記係止具には、係止孔が水平に貫設され、
前記挿入具の左右側には、前記係止孔に水平に挿入されるように係止端が突設される
ことを特徴とする、請求項６に記載の衣類収納具。
【請求項８】
前記係止具の前端にはそれぞれ、相互間の間隙に前記係止端を案内するための傾斜面が設けられ、
前記傾斜面は、前記係止具の前端から前記間隙に傾斜して設けられる
ことを特徴とする、請求項６に記載の衣類収納具。
【請求項９】
前記係止端は、前記トレーの後端を持ち上げたり下げたりする場合、前記係止孔内で上下に回動可能であることを特徴とする、請求項６に記載の衣類収納具。
【請求項１０】
前記ブラケットの前面には、係合用溝が凹状に設けられ、
前記係止具は、上下方向に沿って一体として連結され、前記係合用溝の前面に雌雄で対応して係合されることを特徴とする、請求項６に記載の衣類収納具。
【請求項１１】
前記係止具は、前記係合用溝の上部において雌雄で対応するように、スライド係合されることを特徴とする、請求項１０に記載の衣類収納具。